(57)【要約】【課題】レンズフードや、フィルターホルダーとして利用できる包装用物品を提供する。【解決手段】第１フード用部材１４Ａの上側円周上には、爪部１８Ａ、１８Ｂが形成されている。爪部１８Ａ、１８Ｂは、撮像装置２０のレンズ部４０の先端枠端面に形成された装着孔４２Ａ、４２Ｂに各々差し込み可能とされており、差し込まれることにより第１フード用部材１４Ａが撮像装置２０に装着される。第１フード用部材１４Ａ〜第３フード用部材１４Ｃが結合された状態では、その内部にパトローネに収容された画像記録媒体としての写真フィルムが、収容可能とされている。【選択図】　図３
2004037606.tif 000002
【特許請求の範囲】
【請求項１】
画像記録媒体を包装する包装用物品であって、
撮像装置のレンズフード用部材、及び、撮像用フィルターを保持可能なフィルターホルダー用部材、の少なくとも１つにより構成される撮影機材用部材と、
前記撮影機材用部材を撮像装置の所定位置に装着可能とする装着部材と、
を備えた包装用物品。
【請求項２】
前記レンズフード用部材は、撮像装置への装着状態における内側の光反射率が２０％以下である、ことを特徴とする請求項１に記載の包装用物品。
【請求項３】
前記レンズフード用部材は、撮像装置の画角に対応してサイズ変更可能であることを特徴とする請求項１又は請求項２に記載の包装用物品。
【発明の詳細な説明】
【０００１】
【発明の属する技術分野】
本発明は包装用物品に係り、特に、写真フィルム、ビデオテープ、デジタルカメラ用メモリ等の画像記録媒体を包装するための包装用物品に関する。
【０００２】
【従来の技術】
従来より、写真フィルム、ビデオテープ、デジタルカメラ用メモリ等の、画像記録媒体を包装するための包装用物品には、様々なものが用いられている。例えば、写真フィルムであれば、写真フィルムがパトローネに収容され、この状態でプラスチック製のフィルムケースに収容され、更に紙箱に収容されて包装されていることがある。
【０００３】
ところで、ユーザーが撮像装置を用いて画像記録媒体に画像を記録する際に、レンズフードを用いて画角外からの不要な光を遮ることにより、ゴーストのない高画質の画像を得ることができる。また、フィルターを用いて光を調整したりすることにより、種々のバリエーションの画像を得ることができる。
【０００４】
通常、レンズフードや、フィルターを保持するためのフィルターホルダーは、撮像装置と別体とされていることがほとんどであり、これらを使用する場合には、ユーザーは、専用のレンズフードやフィルターを撮像装置と共に携帯しなければならない。しかしながら、レンズフードやフィルターホルダーは、必要な時に携帯していない場合が多いのが現状である。
【０００５】
【発明が解決しようとする課題】
撮影の際に用いる画像記録媒体の包装用物品を、レンズフードやフィルターホルダーとして利用できれば便利である。
【０００６】
本発明は、上記事実を考慮して成されたものであり、レンズフードや、フィルターホルダーとして利用できる包装用物品を提供することを目的とする。
【０００７】
【課題を解決するための手段】
上記目的を達成するために、本発明の包装用物品は、画像記録媒体を包装する包装用物品であって、撮像装置のレンズフード用部材、及び、撮像用フィルターを保持可能なフィルターホルダー用部材の少なくとも１つにより構成される撮影機材用部材と、前記撮影機材用部材を撮像装置の所定位置に装着可能とする装着部材と、を含んで構成されている。
【０００８】
ここで、画像記録媒体とは、例えば、写真フィルム、ビデオカメラ用のテープ、デジタルカメラ用のメモリー、レンズ付きフィルム等をいう。また、撮像装置には、デジタルカメラ、フィルム式カメラ（銀塩カメラ）、ビデオカメラなどが含まれる。
【０００９】
本発明の包装用物品に備えられた撮影機材用部材がレンズフード用部材で構成される場合、この撮影機材用部材は、装着部材によって撮像装置の所定位置に装着され、撮像装置のレンズフードとして機能する。
【００１０】
また、本発明の包装用物品に備えられた撮影機材用部材がフィルターホルダー用部材で構成される場合、撮影機材用部材は、撮像用フィルターを保持し、装着部材によって撮像装置の所定位置に装着されて、いわゆるフィルターホルダーとして機能する。
【００１１】
本発明によれば、包装用物品の撮影機材用部材が、レンズフード、及び、フィルターホルダーの少なくとも１つの機能を有しているので、包装用物品をレンズフード、及び、フィルターホルダーの少なくとも１つとして利用することができる。
【００１２】
なお、本発明の撮影機材用部材は、包装用物品の包装機能を果たす部分、すなわち、被包装物を包装する部分を兼ねる場合、及び、被包装物を包む部分を兼ねず当該部分とは別に備えられている場合の両方を含む。
【００１３】
また、この撮影機材用部材は、レンズフード用部材、及び、フィルターホルダー用部材の双方で構成され、レンズフード、及び、フィルターホルダーの双方の機能を兼ね備える場合も含む。
【００１４】
本発明の包装用物品は、請求項２に記載のように、前記レンズフード用部材は、撮像装置への装着状態における内側の光反射率が２０％以下であることを特徴とすることができる。
【００１５】
上記構成によれば、レンズフード用部材の撮像装置への装着状態における内側光反射率が２０％以下であるので、レンズフード用部材での内面反射が抑制され、レンズフード用部材からの反射光が撮像装置のレンズに入射されるのを防止することができる。その結果、前記レンズフード用部材のレンズフードとしての機能をより向上させることができる。
【００１６】
また、本発明の包装用物品は、請求項３に記載のように、前記レンズフード用部材は、撮像装置の画角に対応してサイズ変更可能であることを特徴とすることもできる。
【００１７】
上記構成によれば、ユーザーは、レンズフード用部材を、使用する撮像装置の画角に対応するサイズに変更して使用することができ、前記レンズフード用部材のレンズフードとしての機能を、より効果的に発揮させることができる。
【００１８】
【発明の実施の形態】
以下、図面を参照して本発明の実施の形態について説明する。
［第１の実施の形態］
本実施の形態の包装用物品としてのフィルムケース１０は、所謂パトローネに収納された３５ｍｍの写真フィルム用の容器として使用されるものである。
【００１９】
図１に示すように、フィルムケース１０は、上蓋１２、下蓋１６、及び、撮影機材用部材に含まれるレンズフード用部材としての第１フード用部材１４Ａ、第２フード用部材１４Ｂ、第３フード用部材１４Ｃ、により構成されている。
【００２０】
第１フード用部材１４Ａ〜第３フード用部材１４Ｃは、円筒形状であり、内側が光反射率２０％以下の黒色とされている。第１フード用部材１４Ａの下側の外周には雄ねじＮ１が形成され、第２フード用部材１４Ｂの上側の内周には雌ねじＮ２が形成されている。第１フード用部材１４Ａと第２フード用部材１４Ｂとは、雄ねじＮ１を雌ねじＮ２にねじ込むことにより結合可能とされ、雄ねじＮ１を雌ねじＮ２からねじり出すことにより分離可能とされている。また、第２フード用部材１４Ｂの下側の外周には、雄ねじＮ３が形成され、第３フード用部材１４Ｃの上側の内周には、雌ねじＮ４形成されている。第２フード用部材１４Ｂと第３フード用部材１４Ｃとは、雄ねじＮ３を雌ねじＮ４にねじ込むことにより結合可能とされ、雄ねじＮ３を雌ねじＮ４からねじり出すことにより分離可能とされている。
【００２１】
第１フード用部材１４Ａ〜第３フード用部材１４Ｃが結合された状態では、図２に示すように、その内部にパトローネに収容された画像記録媒体としての写真フィルム（以下単に「写真フィルムＦ」という）が収容可能とされている。
【００２２】
第１フード用部材１４Ａの円筒の軸方向の長さは、撮像装置２０（図３参照）の対角画角が４０°の場合に、画角外からの不要な光を遮ると共に画角内に入り込まない（写り込まない）長さとされ、第１フード用部材１４Ａと第２フード用部材１４Ｂとが結合された円筒の長さは、撮像装置２０の対角画角が３０°の場合に、画角外からの不要な光を遮ると共に画角内に入り込まない（写り込まない）長さとされ、第１フード用部材１４Ａ〜第３フード用部材１４Ｃが結合された円筒の長さは、撮像装置２０の対角画角が２４°の場合に、画角外からの不要な光を遮ると共に画角内に入り込まない（写り込まない）長さとされている。
【００２３】
なお、画角とはフィルム面に写る被写体の範囲を角度で示したもので、ここでは、無限遠（∞）に焦点を合わせたときのレンズの主点と、画面の対角線の両端を結んだ角度の対角画角を示す。対角画角以外に水平画角、垂直画角があるが、いずれの画角を基準にしてもよいことはもちろんである。画角は、レンズの焦点距離と画面サイズで決まる角度である。
【００２４】
図３に示すように、第１フード用部材１４Ａ〜第３フード用部材１４Ｃの内径は、撮像装置２０の、円筒形状のレンズ部４０の鏡筒先端の内径よりもやや大きく外径よりもやや小さいサイズとなっている。したがって、第１フード用部材１４Ａの円筒端面とレンズ部４０の円筒端面とは重なり合うが、第１フード用部材１４Ａがレンズ部４０の内側に入り込むことはない。
【００２５】
なお、フィルムケース１０には、写真フィルムＦと共に、焦点距離、画角、及び第１フード用部材１４Ａ〜第３フード用部材１４Ｃの対応関係等の記載された、ユーザへの使用説明書（図示省略）が包装される。
【００２６】
第１フード用部材１４Ａの上側円周上には、爪部１８Ａ、１８Ｂが形成されている。爪部１８Ａ、１８Ｂは、撮像装置２０のレンズ部４０の先端枠端面に形成された装着孔４２Ａ、４２Ｂに各々差し込み可能とされており、差し込まれることにより第１フード用部材１４Ａが撮像装置２０に装着される。また、第１フード用部材１４Ａの上側の円筒内側、及び第３フード用部材１４Ｃの下側の円筒内側には、図２に示すように、溝２２、溝２４が各々円周状に構成されている。
【００２７】
図１及び図２に示すように、上蓋１２は、上側に位置する円板状の上蓋部１２Ａ、及び、上蓋部１２Ａの下側の同心円上に位置する円板状の内蓋部１２Ｂとで構成されている。上蓋部１２Ａには、板厚面に爪部１８Ａ、１８Ｂに対応する爪孔２６Ａ、２６Ｂが構成されている。内蓋部１２Ｂの外径は、第１フード用部材１４Ａの内径よりもやや小さいサイズとされ、上蓋部１２Ａの外径は、第１フード用部材１４Ａの外径よりも大きいサイズとされている。内蓋部１２Ｂ、及び、上蓋部１２Ａの上記サイズは、内蓋部１２Ｂが第１フード用部材１４Ａの内側に嵌め込み可能なように、また、上蓋部１２Ａが第１フード用部材１４Ａの内側に入り込まないように、かつ、上蓋部１２Ａの外周が第１フード用部材１４Ａの外周よりも外側に位置することにより、上蓋１２を容易に開閉できるようにすることを考慮したものである。内蓋部１２Ｂの板厚面外周上には、図２に示すように、凸部２８が円周状に形成されている。内蓋部１２Ｂが、第１フード用部材１４Ａの円筒内へ嵌め込まれた際には、凸部２８と溝２２とが係合し、上蓋１２が第１フード用部材１４Ａに固定される。
【００２８】
下蓋１６は、下側に位置する円板状の下蓋部１６Ａ、及び、下蓋部１６Ａの上側の同心円上に位置する円板状の内蓋部１６Ｂとで構成されている。内蓋部１６Ｂの外径は、第３フード用部材１４Ｃの内径よりもやや小さいサイズとされ、下蓋部１６Ａの外径は、第３フード用部材１４Ｃの外径よりも大きいサイズとされている。内蓋部１６Ｂ、及び、下蓋部１６Ａの上記サイズは、内蓋部１６Ｂが第１フード用部材１４Ａの内側に嵌め込み可能なように、また、下蓋部１６Ａが第１フード用部材１４Ａの内側に入り込まないように、かつ、下蓋部１６Ａの外周が第１フード用部材１４Ａの外周よりも外側に位置することにより、下蓋１２を容易に開閉できるようにすることを考慮したものである。内蓋部１６Ｂの板厚面外周上には、図２に示すように、凸部２６が円周状に形成されている。内蓋部１６Ｂが、第３フード用部材１４Ｃの円筒内へ嵌め込まれた際には、凸部３０と溝２４とが係合し、下蓋１６が第３フード用部材１４Ｃに固定される。
【００２９】
次に、本実施の形態の作用について説明する。
【００３０】
写真フィルムＦを包装する際には、第１フード用部材１４Ａ〜第３フード用部材１４Ｃを結合させ（図２参照）、その内部に写真フィルムＦを収容し、上蓋１２を第１フード用部材１４Ａに嵌め込み、凸部２８と溝２２とを係合させる。このとき、爪部１８Ａ、１８Ｂを爪孔２６Ａ、２６Ｂに各々対応する位置に配置することにより、爪部１８Ａ、１８Ｂが爪孔２６Ａ、２６Ｂに入り込む。また、下蓋１６を第３フード用部材１４Ｃに嵌め込み、凸部３０と溝２４とを係合させて包装が完了する。
【００３１】
撮影を行う際には、ユーザーは、上蓋１２及び下蓋１６を第１フード用部材１４Ａ及び第３フード用部材１４Ｃから外す。そして、撮影装置２０の対角画角に応じて、第２フード用部材１４Ｂ、第３フード用部材１４Ｃを使用するかどうかを判断する。使用するフードについての判断は、例えば、以下のようにして行うことができる。
【００３２】
３５ｍｍフルサイズの写真フィルムの場合、焦点距離と対角画角との関係は、焦点距離が６０ｍｍの場合には、対角画角は約４０°、焦点距離が８０ｍｍの場合には、対角画角は約３０°、焦点距離が１００ｍｍの場合には、対角画角は約２４°となる。そこで、例えば、焦点距離６０ｍｍ〜１００ｍｍのズームレンズを搭載した撮像装置において焦点距離が最小の６０ｍｍで撮影する場合には、対角画角４０°に対応したサイズの第１フード用部材１４Ａのみを使用する。また、焦点距離が最大の１００ｍｍで撮影する場合には、対角画角２４°に対応したサイズの第１フード用部材１４Ａ〜第３フード用部材１４Ｃが結合されたものを使用する。そして、中間の焦点距離である８０ｍｍで撮影する場合には、対角画角３０°に対応したサイズの第１フード用部材１４Ａと第２フード用部材１４Ｂとが結合されたものを使用する。なお、その他の焦点距離で撮影する場合には、フィルムに写る被写体の範囲内にフードが被さらないように、小さめのフードを使用する。
【００３３】
本実施の形態では、対角画角３０°で撮影する場合、すなわち、第１フード用部材１４Ａ及び第２フード用部材１４Ｂを使用する場合について説明する。第３フード用部材１４Ｃを、第２フード用部材１４Ｂとの結合が解除される方向に回転させ、第３フード用部材１４Ｃを第２フード用部材１４Ｂから分離する。結合が維持された第１フード用部材１４Ａ及び第２フード用部材１４Ｂの第１フード用部材１４Ａ側の端面と、レンズ部４０の先端枠端面と合わせ、爪部１８Ａ、１８Ｂを、装着孔４２Ａ、４２Ｂに各々係合させて、第１フード用部材１４Ａ及び第２フード用部材１４Ｂを撮像装置２０に装着する。装着された第１フード用部材１４Ａ及び第２フード用部材１４Ｂにより、画角外からの不要な光がレンズ部４０から入射されるのが防止される。
【００３４】
本実施の形態によれば、フィルムケース１０の一部を、レンズ部４０に入射される光を制限可能な第１フード用部材１４Ａ〜第３フード用部材１４Ｃで構成すると共に、第１フード用部材１４Ａに爪部１８Ａ、１８Ｂを形成して、この部分を装着孔４２Ａ、４２Ｂに係合させて、第１フード用部材１４Ａ〜第３フード用部材１４Ｃを撮像装置２０に装着することにより、第１フード用部材１４Ａ〜第３フード用部材１４Ｃ、すなわちフィルムケース１０の一部を、レンズフードとして使用することができる。その結果、フィルムケース１０の付加価値を高めることができる。
【００３５】
なお、本実施の形態では、第１フード用部材１４Ａ〜第３フード用部材１４Ｃの内側を、光反射率２０％以下の黒色としたが、必ずしも光反射率２０％以下である必要はない。特に、光反射率２０％以下であれば、第１フード用部材１４Ａ〜第３フード用部材１４Ｃの内側の内面反射が抑制されるので、第１フード用部材１４Ａ〜第３フード用部材１４Ｃからの反射光がレンズ部４０へ入射されるのを防止することができ、レンズフードとしての機能をより向上させることができる。
【００３６】
また、本実施の形態では、第１フード用部材１４Ａ〜第３フード用部材１４Ｃを分離することの可能な構成について説明したが、第１フード用部材１４Ａ〜第３フード用部材１４Ｃは、必ずしも分離可能である必要はない。特に、本実施の形態では、第１フード用部材１４Ａ〜第３フード用部材１４Ｃを分離することの可能な構成としたので、撮像装置の画角に応じたサイズとすることができ、レンズフードとしての機能をより効果的に発揮することができる。
【００３７】
また、本実施の形態では、装着部材として爪部１８Ａ、１８Ｂを形成する例について説明したが、装着部材はこれに限定されるものではない。例えば、爪部１８Ａ、１８Ｂに代えて、第１フード用部材１４Ａの爪部１８Ａ、１８Ｂの形成されている端面に装着部材としての接着剤を塗布しておき、この接着剤を介して第１フード用部材１４Ａをレンズ部４０の先端の鏡筒端面に接着させ、第１フード用部材１４Ａ〜第３フード用部材１４Ｃを撮像装置２０に装着することもできる。
【００３８】
この構成によれば、レンズ部４０の先端の鏡筒端面に、装着孔４２Ａ、４２Ｂを備える必要がなく、当該レンズフード部材を使用することのできる撮像装置の幅が広がる。
［第２の実施の形態］
次に、第２の実施の形態について説明する。第１の実施の形態と同様の部分については同一の符号を付して、詳細な説明は省略する。
【００３９】
本実施の形態の包装用物品としての包装用紙筒５０は、図４に示すように、楕円筒状であり、包装用紙筒５０の外面には、半楕円状の、撮影機材用部材に含まれるレンズフード用部材としてのフード用部材５２の形状が印刷されている。フード用部材５２の形状が印刷された部分の半楕円直線部の外側には、フード用部材５２の形状が印刷された部分に連接されて、装着部材としての爪部５４Ａ、５４Ｂの形状が印刷されている。
【００４０】
フード用部材５２の形状が印刷された部分及び爪部５４Ａ、５４Ｂの形状が印刷された部分の外周は、切取線Ａで縁取られている。フード用部材５２の形状が印刷された部分は、切取線Ａと切取線Ｂとで囲まれた第１フード部５２Ａ、切取線Ｂと切取線Ｃとで囲まれた第２フード部５２Ｂ、及び、切取線Ｃと切取線Ａとで囲まれた第３フード部５２Ｃの形状の印刷で構成されている。切取線Ａ〜Ｃは、ミシン目で形成されており、フード用部材５２の形状が印刷された部分を容易に包装用紙筒５０から切り抜くことができると共に、第１フード部５２Ａ〜第３フード部５２Ｃを、容易に分離することができる構成とされている。第１フード部５２Ａのサイズは、撮像装置２０の対角画角が４０°の場合に、画角外からの不要な光を遮るサイズとされ、第１フード部５２Ａと第２フード部５２Ｂとが結合されたサイズは、撮像装置２０の対角画角が３０°の場合に、画角外からの不要な光を遮るサイズされ、第１フード部５２Ａ〜第３フード部５２Ｃが結合されたサイズは、撮像装置２０の対角画角が２４°の場合に、画角外からの不要な光を遮るサイズとされている。
【００４１】
包装用紙筒５０から分離されたフード用部材５２に連接される爪部５４Ａ、５４Ｂは、図５に示す撮像装置２０の装着孔４２Ａ、４２Ｂに各々差し込み可能とされており、差し込まれることによりフード用部材５２が撮像装置２０に装着される。なお、包装用紙筒５０の内側は、光反射率２０％以下の黒色に着色されている。
【００４２】
図４に示すように、包装用紙筒５０の内部には、写真フィルムＦが収容可能とされている。また、外装用には、図４に示すピロー包装袋５６が用意されており、ピロー包装袋５６内には、写真フィルムＦが収容された包装用紙筒５０が収容可能とされている。なお、ピロー包装袋５６内には、焦点距離、画角、及びフード用部材５２の第１フード部５２Ａ〜第３フード部５２Ｃの対応関係等の記載された、ユーザへの使用説明書（図示省略）が包装される。
【００４３】
次に、本実施の形態の作用について説明する。
【００４４】
写真フィルムＦを包装する際には、写真フィルムＦを包装用紙筒５０内に収容し、写真フィルムＦを収容した包装用紙筒５０をピロー包装袋５６に収容し、ピロー包装袋５６を密封することにより包装が完了する。
【００４５】
撮影を行う際には、ユーザーは、ピロー包装袋５６から包装用紙筒５０を取り出し、包装用紙筒５０から写真フィルムＦを取り出す。切取線Ａのミシン目を切り離すことによりフード用部材５２の形状が印刷された部分を包装用紙筒５０から切り抜く。そして、撮影装置２０の画角に応じて、第２フード部５２Ｂ、第３フード部５２Ｃを使用するかどうかを判断する。本実施の形態では、対角画角３０°で撮影する場合について説明する。この場合には、第３フード部５２Ｃを切取線Ｃで第２フード部５２Ｂから切り離し、第１フード部５２Ａと第２フード部５２Ｂとが連結されたフード用部材５２を使用する。フード用部材５２の黒色に着色された面を内側にして、爪部５４Ａ、５４Ｂを装着孔４２Ａ、４２Ｂに各々係合させ（図５参照）、フード用部材５２を撮像装置２０に装着する。装着されたフード用部材５２により、画角外からの不要な光がレンズ部４０から入射されるのが防止される。
【００４６】
本実施の形態によれば、包装用紙筒５０に印刷されたフード用部材５２及び爪部５４Ａ、５４Ｂを切り抜き、爪部５４Ａ、５４Ｂを装着孔４２に係合させて、フード用部材５２を撮像装置２０に装着することにより、フード用部材５２、すなわち包装用紙筒５０の一部をレンズフードとして使用することができる。その結果、包装用紙筒５０の付加価値を高めることができる。
【００４７】
なお、本実施の形態では、フード用部材としての第１フード用部材５２Ａ〜第３フード用部材５２Ｃが、レンズフードとしての機能に加え、写真フィルムを包む部分を構成し、包装機能も兼ね備えている例について説明したが、フード用部材は必ずしも包装機能も兼ね備えている必要はない。例えば、図６に示すように、写真フィルムを包む部分を構成する箱本体５８の外側に、フード用部材５２を備える構成とすることもできる。特に、包装機能も兼ね備えることにより、包装用部材の製造用材料量を少なくすることができる。
【００４８】
また、本実施の形態では、包装用紙筒５０の内側を、光反射率２０％以下の黒色としたが、必ずしも光反射率２０％以下である必要はない。特に、光反射率２０％以下にすることにより、フード用部材５２の内側の内面反射が抑制されるので、フード用部材５２からの反射光がレンズ部４０へ入射されるのを防止することができ、レンズフードとしての機能をより向上させることができる。
【００４９】
また、本実施の形態では、フード用部材５２を異なる３サイズに変更することの可能な構成について説明したが、１サイズでもよく、また、２サイズ、４サイズ以上に変更可能とすることもできる。
【００５０】
また、本実施の形態では、装着部材として爪部５４Ａ、５４Ｂを形成する例について説明したが、装着部材はこれに限定されるものではない。例えば、両面テープや輪ゴムなどを、包装用紙筒５０に備え、両面テープや輪ゴムなどを用いて、フード用部材５２を撮像装置２０の所定位置に装着することもできる。
［第３の実施の形態］
次に、第３の実施の形態について説明する。第１、第２の実施の形態と同様の部分については同一の符号を付して、詳細な説明は省略する。
【００５１】
本実施の形態の包装用物品としての包装箱６０は、図７に示すように、四角柱状であり、４枚の側面板６２、蓋板６４、及び底板６６で構成されている。蓋板６４は、開閉可能とされ、蓋板６４を開けた際の開口部から、包装箱６０の内部に写真フィルムＦを収容可能とされている。
【００５２】
底板６６の中央部には、外周がミシン目の切取線Ｊで構成された円形の切取部６８が形成されている。切取部６８は、ミシン目で切り取られることにより、容易に底板６６から切り抜くことができる。切取部６８が切り取られた底板６６に形成される円形状の開口部の径は、レンズ部４０の光入射部分Ｌ（図８参照）よりも大きい径とされている。
【００５３】
４枚の側面板６２のうちの１枚である側面板６２Ａの底板６６側には、装着枠７０の形状が印刷されている。装着枠７０の形状が印刷された部分は底板６６と連接されており、この連接部分を除く外周（以下、「切取線Ｋ」という）は、ミシン目で構成されている。装着枠７０の形状が印刷された部分は、切取線Ｋで切り取られることにより、容易に側面板６２Ａから切り抜くことができる。
【００５４】
図８に示すように、底板６６の、切取部６８以外の部分の、包装時の内側面には、接着部材Ｐ１が塗布されており、塗布されている表面がシートＳ１で覆われている。シートＳ１が剥がされることにより、底板６６は接着剤Ｐ１を介してフィルターＴと接着可能とされている。底板６６は接着剤Ｐ１と共に、撮影機材用部材に含まれるフィルターホルダー用部材を構成する。
【００５５】
装着枠７０の包装時の外側面には、接着部材Ｐ２が塗布されており、塗布されている表面がシートＳ２で覆われている。シートＳ２が剥がされた状態で、装着枠７０は、レンズ部４０の鏡筒側面に沿って湾曲され、接着剤Ｐ２を介してレンズ部４０と接着可能とされている。装着枠７０は接着部材Ｐ２と共に、装着部材を構成する。
【００５６】
なお、接着剤Ｐ１の塗布は、底板６６の、包装時の外側でもよく、この場合には、接着剤Ｐ２の塗布は、装着枠７０の包装時の内側面に施される。
【００５７】
次に、本実施の形態の作用について説明する。
【００５８】
写真フィルムＦを包装する際には、写真フィルムＦを包装箱６０内に収容し、蓋板６４を閉じる。
【００５９】
撮影を行う際には、ユーザーは、蓋板６４を開けて包装箱６０からフィルムＦを取り出す。切取線Ｊのミシン目を切り離して切抜部６８を切り抜き、切取線Ｋのミシン目を切り離して装着枠７０の形状が印刷された部分を切り抜く。装着枠７０を、底板６６との連接部分を支点として１８０°回転させる。シートＳ１を剥がして接着剤Ｐ１を露出させ、接着剤Ｐ１の塗布された部分にフィルターＴを接着させる。また、シートＳ２を剥がして接着剤Ｐ２を露出させ、接着剤Ｐ２の塗布された部分をレンズ部４０の上側部分に沿って接着させる。これにより、フィルターＴがレンズ部４０の光入射部分Ｌの前方に配置され、撮像用フィルターとして機能する。
【００６０】
本実施の形態によれば、底板６６に接着剤Ｐ１を塗布して、底板６６にフィルターＴを接着させると共に、底板６６と連接された装着枠７０をを介して、装着枠７０をレンズ部４０に接着することにより、フィルターＴをレンズ部４０の光入射部分Ｌの前方に配置することができる。したがって、包装箱６０を構成する、底板６６、接着剤Ｐ１、装着枠７０、及び、接着剤Ｐ２を、フィルターホルダーとして使用することができる。その結果、包装箱６０の付加価値を高めることができる。
【００６１】
なお、本実施の形態では、接着剤Ｐ２を介して装着枠７０とレンズ部４０とが接着され、底板６６が撮像装置２０に装着される例について説明したが、輪ゴムを装着部材として用いることもできる。すなわち、輪ゴムを包装箱６０の一部として包装箱６０内に収容しておき、底板６６の装着時に、輪ゴムを装着枠７０及びレンズ部４０の外周に掛けることにより、装着枠７０をレンズ部４０の上側部分に固定して、底板６６を撮像装置２０に装着することもできる。
【００６２】
また、第１〜第３の実施の形態では、パトローネに収容された写真フィルムを包装するためのフィルムケース１０、包装用紙筒５０、包装箱６０について説明したが、本発明の包装用物品は、この写真フィルムを包装するためのものに限定されるものではなく、その他の画像記録媒体を包装するものであってもよい。例えば、インスタントフィルム、ブローニフィルム等その他の写真フィルム、ビデオカメラ用テープ、デジタルカメラ用メモリー等を包装する包装用物品に適用することができる。
【００６３】
【発明の効果】
以上説明したように、本発明によれば、包装用物品が、レンズフード、及び、フィルターホルダーの少なくとも１つの機能を有しているので、包装用物品を、レンズフード、及び、フィルターホルダーの少なくとも１つとして利用することができる。
【図面の簡単な説明】
【図１】第１の実施の形態のフィルムケースの分解斜視図である。
【図２】第１の実施の形態のフィルムケースの断面図である。
【図３】第１の実施の形態のフードの撮像装置への装着関係を説明する図である。
【図４】第２の実施の形態の包装用紙筒の斜視図である。
【図５】第２の実施の形態のフードの撮像装置への装着関係を説明する図である。
【図６】第２の実施の形態の変形例である。
【図７】第３の実施の形態の包装箱の斜視図である。
【図８】第３の実施の形態の底板の撮像装置への装着関係を説明する図である。
【符号の説明】
１０　　フィルムケース（包装用部品）
１４Ａ　第１フード用部材（レンズフード用部材）
１４Ｂ　第２フード用部材（レンズフード用部材）
１４Ｃ　第３フード用部材（レンズフード用部材）
１８Ａ、１８Ｂ　爪部（装着部材）
２０　　撮像装置
５０　　包装用紙筒（包装用物品）
５２　　フード用部材
５２Ａ　第１フード部（レンズフード用部材）
５２Ｂ　第２フード部（レンズフード用部材）
５２Ｃ　第３フード部（レンズフード用部材）
６０　　包装箱（包装用物品）
６６　　底板（フィルターホルダー用部材）
７０　　装着枠（装着部材）
Ｐ１　　接着剤（フィルターホルダー用部材）
Ｐ２　　接着剤（装着部材）
Ｆ　　　写真フィルム（画像記録媒体）
【図１】
2004037606.tif 000003
【図２】
2004037606.tif 000004
【図３】
2004037606.tif 000005
【図４】
2004037606.tif 000006
【図５】
2004037606.tif 000007
【図６】
2004037606.tif 000008
【図７】
2004037606.tif 000009
【図８】
2004037606.tif 000010